(57)【特許請求の範囲】
【請求項１】
赤外線通信機器から送出される赤外線信号を受信する赤外線受信部と、赤外線受信部で受信した赤外線信号を電気的信号に変換する信号変換部と、該信号変換部で変換された電気的信号を、ＩｒＤＡプロトコルに基づいて、翻訳データに翻訳するＩｒＤＡ翻訳部と、翻訳データを視認可能な状態に変換する翻訳データ変換部とを有することを特徴とする赤外線通信のプロトコルアナライザ。
【請求項２】
前記赤外線受信部には、可視光を除去する可視光フィルタを設けたことを特徴とする請求項１記載の赤外線通信のプロトコルアナライザ。
【請求項３】
前記ＩｒＤＡ翻訳部と、前記翻訳データ変換部との間は、着脱可能な有線ケーブルで接続されていることを特徴とする各請求項１又は２記載の赤外線通信のプロトコルアナライザ。
【請求項４】
前記翻訳データ変換部は、シミュレーションを行うシミュレーション機能部を有することを特徴とする各請求項１乃至３記載の赤外線通信のプロトコルアナライザ。
【請求項５】
前記赤外線受信部は、一対の赤外線通信機器のうち、何れか一方から送出される赤外線信号を受信すると共に、他方の赤外線通信機器に対して、該受信した赤外線信号を送出する赤外線送信部を設けたことを特徴とする各請求項１乃至４記載の赤外線通信のプロトコルアナライザ。
【請求項６】
前記一対の赤外線通信機器間で双方向赤外線通信が行われる際に、双方の赤外線通信機器に対して、赤外線信号を受信する赤外線受信部と、赤外線を送出する赤外線送信部とを各々一組づつ設け、一方の組の赤外線受信部で受信した赤外線信号を、他方の組の赤外線送信部から、送信するように構成されることを特徴とする各請求項１乃至５記載の赤外線通信のプロトコルアナライザ。
【発明の詳細な説明】
【０００１】
【発明の属する技術分野】
この発明は、主に、赤外線を利用したデータ通信をモニタして、シミュレーション等を行う赤外線通信のプロトコルアナライザに関するものである。
【０００２】
【従来の技術】
従来のプロトコルアナライザとしては、図６に示す特開昭６０−１６３５５２号公報に記載されているようなものが知られている。
【０００３】
このようなものでは、データ回線終端装置１と、データ端末装置２との間が、有線Ｌ１，Ｌ２からなるシリアル伝送路Ｌによって接続されている。
【０００４】
この有線Ｌ１，Ｌ２間には、分岐装置３が介在されている。
【０００５】
そして、データ回線終端装置１と、データ端末装置２との間にて、所定の信号形式によりビット直列に伝送されるデータが、前記分岐装置３によって分岐抽出されて、有線Ｌ３を介してモニタ装置４へ送出される。
【０００６】
モニタ装置４では、データを変換して、読取り易い形式として表示することにより、観察出来るように構成されている。
【０００７】
【発明が解決しようとする課題】
しかしながら、このような従来のプロトコルアナライザでは、有線Ｌ１，Ｌ２間に分岐装置３を介在させて電気的に接続することにより、データを観察するようにしている。
【０００８】
このため、赤外線を用いたデータ通信を行う無線形式の通信を、赤外線信号上で、観察することは出来ない。従って、赤外線を用いたデータ通信上で、通信エラーが発生した場合の不具合箇所の切り分けが困難であった。
【０００９】
例えば、通信機本体に、前記分岐装置を有線接続して、通信信号を電気的に取り込んで、観察する事も考えられるが、この場合、正常な赤外線通信が行われているかを確認することはできない。
【００１０】
そこで、この発明は、赤外線信号上で、直接、赤外線信号を取り込んで、データを観察することができる赤外線通信のプロトコルアナライザを提供することを課題としている。
【００１１】
【課題を解決するための手段】
前記課題を解決するため本願発明の請求項１に記載されたものでは、赤外線通信機器から送出される赤外線信号を受信する赤外線受信部と、赤外線受信部で受信した赤外線信号を電気的信号に変換する信号変換部と、該信号変換部で変換された電気的信号を、ＩｒＤＡプロトコルに基づいて、翻訳データに翻訳するＩｒＤＡ翻訳部と、翻訳データを視認可能な状態に変換する翻訳データ変換部とを有する赤外線通信のプロトコルアナライザを特徴としている。
【００１２】
このように構成された請求項１記載のものでは、赤外線受信部によって、赤外線通信機器から送出される赤外線信号が受信される。信号変換部では、赤外線受信部で受信した該赤外線信号が電気的信号に変換される。
【００１３】
該信号変換部で変換された電気的信号は、ＩｒＤＡ翻訳部で、翻訳データに翻訳され、翻訳データ変換部で、視認可能な状態に変換される。
【００１４】
このため、赤外線通信機器の送出する赤外線信号を、視認可能な翻訳データの形式で、観察する事が出来る。
【００１５】
また、請求項２に記載されたものでは、前記赤外線受信部には、可視光を除去する可視光フィルタを設けた請求項１記載の赤外線通信のプロトコルアナライザを特徴としている。
【００１６】
このように構成された請求項２記載のものでは、前記赤外線受信部には、可視光を除去する可視光フィルタが設けられているので、赤外線受信部が可視光の影響を受けにくい。このため、安定した翻訳データを得ることが出来、観察精度が向上する。
【００１７】
そして、請求項３に記載されたものでは、前記ＩｒＤＡ翻訳部と、前記翻訳データ変換部との間は、着脱可能な有線ケーブルで接続されている各請求項１又は２記載の赤外線通信のプロトコルアナライザを特徴としている。
【００１８】
このように構成された請求項３記載のものでは、前記ＩｒＤＡ翻訳部と、前記翻訳データ変換部との間が、着脱可能な有線ケーブルで接続されている。
【００１９】
このため、赤外線専用の翻訳データ変換部でなくとも、ＲＳ２３２Ｃの電気的信号である翻訳データを視認可能な状態に変換できる翻訳データ変換部を、有線ケーブルで接続して、使用する事が出来るので、アナライザ等の共用化を図ることが出来る。
【００２０】
また、請求項４に記載されたものでは、前記翻訳データ変換部に接続されて、シミュレーションを行うシミュレーション機能部を有する各請求項１乃至３記載の赤外線通信のプロトコルアナライザを特徴としている。
【００２１】
このように構成された請求項４記載のものでは、シミュレーション機能部によって、翻訳データ変換部から送られる翻訳データに基づいて、シミュレーションが行われる。
【００２２】
このため、赤外線通信機器を有する装置が、正常に機能しているか否かの検査を行うことが出来る。
【００２３】
そして、請求項５に記載されたものでは、前記赤外線受信部は、一対の赤外線通信機器のうち、何れか一方から送出される赤外線信号を受信すると共に、他方の赤外線通信機器に対して、該受信した赤外線信号を送出する赤外線送信部を設けた各請求項１乃至４記載の赤外線通信のプロトコルアナライザを特徴としている。
【００２４】
このように構成された請求項５記載のものでは、前記赤外線受信部が、一対の赤外線通信機器のうち、何れか一方から送出される赤外線信号を受信する。
【００２５】
該受信された赤外線信号は、他方の赤外線通信機器に対して、赤外線送出部から送出される。
【００２６】
このため、赤外線信号を遮って、赤外線通信機器間の赤外線通信を妨げる事なく、観察を行うことが出来る。
【００２７】
また、請求項６に記載されたものでは、前記一対の赤外線通信機器間で双方向赤外線通信が行われる際に、双方の赤外線通信機器に対して、赤外線信号を受信する赤外線受信部と、赤外線を送出する赤外線送信部とを各々一組づつ設け、一方の組の赤外線受信部で受信した赤外線信号を、他方の組の赤外線送信部から、送信するように構成される各請求項１乃至５記載の赤外線通信のプロトコルアナライザを特徴としている。
【００２８】
このように構成された請求項６記載のものでは、前記一対の赤外線通信機器間で双方向赤外線通信が行われる際に、双方の赤外線通信機器から送出される赤外線信号を他の組の赤外線受信部が、各々受信して、観察できる。
【００２９】
しかも、受信された赤外線信号は、他方の赤外線通信機器に、前記赤外線送信部から送出されるので、赤外線通信のやりとりを妨げない。
【００３０】
このため、例えば、赤外線通信により、シーケンス制御される赤外線通信機器間の連続動作等を、双方向で送受信される赤外線を利用して、観察することが出来る。
【００３１】
【発明の実施の形態１】
以下、本発明の具体的な実施の形態について、図面を参照しつつ説明する。
【００３２】
図１乃至図４は、この発明の実施の形態１を示すものである。なお、前記従来例と同一乃至均等な部分については、同一符号を付して説明する。
【００３３】
まず構成を説明すると、赤外線データの送受信を双方向で行なう一対の赤外線通信機器５，５が、所定距離離間されて、設けられている。この赤外線通信機器５には、送信機５ａ及び受信器５ｂが設けられている。
【００３４】
そして、これらの赤外線通信機器５，５の間には、これらの赤外線通信機器５，５間の赤外線通信を観察するプロトコルアナライザ６が、配設されている。
【００３５】
このプロトコルアナライザ６は、主に、アナライザ本体７と、このアナライザ本体７に、送信線８，８を介して接続され、前記赤外線通信機器５，５間に、離間して配設される一対の赤外線受発信部９，９とから構成されている。
【００３６】
このうち、前記アナライザ本体７前面には、図１に示すように、表示部としての液晶パネル部１０と、入力部としてのキーボード部１１とが設けられている。
【００３７】
このアナライザ本体７内部には、図３に示す様に、前記送信線８から送られてきた赤外線信号を選択的に抽出すると共に、これらの赤外線信号を電気的信号に変換する信号変換部としてのパルスデコーダ１２及び、電気的信号を選択的に抽出して赤外線信号に変換するパルスエンコーダ１３が設けられている。
【００３８】
又、このアナライザ本体７内部には、前記パルスデコーダ１２に接続されると共に、このパルスデコーダ１２で変換された電気的信号を、ＩｒＤＡプロトコルに基づいて、翻訳データに翻訳するＩｒＤＡ翻訳部１４及び、パルスエンコーダ１３に接続されると共に、電気的信号を赤外線信号に変換して、このパルスエンコーダ１３に送出するＩｒＤＡ翻訳部１５とが設けられている。
【００３９】
そして、これらのＩｒＤＡ翻訳部１４，１５は、前記翻訳データを視認可能な状態に変換する翻訳データ変換部としてのシリアルコントローラ１６に各々接続されている。
【００４０】
このシリアルコントローラ１６と、シミュレーションを行うシミュレーション機能部１７は制御部（Ａ）に接続されている。
【００４１】
そして、この制御部（Ａ）は、前記液晶パネル１０及び前記キーボード１１に接続されて、このキーボード１１から入力された指令に基づいて、液晶パネル１０に、赤外線信号の状態或は、シミュレーション結果等を視認出来るように出力表示するように構成されている。
【００４２】
又、前記赤外線受発信部９には、スタンド１８の支柱１９先端に支持されて配設される略半球形状のＦＲＰ樹脂製のカバー部材２０が設けられている。
【００４３】
このカバー部材２０は、一側面側が開放されていて、内部に、前記送信線８と接続される赤外線送信器２１と、赤外線受信器２２とが一対、隣接させて配設されている。
【００４４】
また、開放された一側面には、可視光を除去する可視光フィルタ２３が設けられている。
【００４５】
そして、このカバー部材２０の開放方向の軸線２４が、前記赤外線通信機器５，５間に結ばれる光軸２５に対して、約１５°以内となるように、このカバー部材２０の角度が調整されて、所定位置に、前記赤外線受発信部９，９が位置するように配設されている。
【００４６】
また、この実施の形態１では、図１中右側の前記赤外線受信器２２が、一対の赤外線通信機器５，５のうち、右側の赤外線通信機器５から送出される赤外線信号を受信する。
【００４７】
この受信された赤外線信号は、前記シリアルコントローラ１６等を介して、図１中左側の赤外線通信機器５に対して、赤外線送出器９から送出される。
また、図１中左側の前記赤外線受信器２２が、一対の赤外線通信機器５，５のうち、左側の赤外線通信機器５から送出される赤外線信号を受信する。
【００４８】
この受信された赤外線信号は、前記シリアルコントローラ１６等を介して、図１中右側の赤外線通信機器５に対して、右側の赤外線送出器９から送出されるように構成されている。
【００４９】
次に、この実施の形態１の作用について説明する。
【００５０】
図１中、左右の赤外線受発信部９，９に設けられた赤外線受信器２２，２２によって、赤外線通信機器５，５の送信機５ａ，５ａから送出される赤外線信号が受信される。前記パルスデコーダ１２では、赤外線受信器２２で受信したこの赤外線信号が電気的信号に変換される。
【００５１】
このパルスデコーダ１２で変換された電気的信号は、ＩｒＤＡ翻訳部で、翻訳データに翻訳される。
【００５２】
そして、シリアルコントローラ１６で、この翻訳データが視認可能な状態に変換される。変換された翻訳データは、前記液晶パネル１０に、視認可能な例えば、タイムチャートの形式で表示される。
【００５３】
このため、赤外線通信機器５の送出する赤外線信号を、視認可能な翻訳データの形式で、観察する事が出来る。
【００５４】
従って、赤外線信号上で、直接、赤外線信号を取り込んで、データを視認できるので、正常な赤外線通信が行われているか否かを確認することが出来る。
【００５５】
また、前記赤外線受発信部９には、可視光を除去する可視光フィルタ２３が設けられているので、赤外線受信器２２に可視光が殆ど到達せず、可視光の影響を受けにくい。このため、安定した翻訳データを得ることが出来、観察精度が向上する。
【００５６】
この実施の形態１では、赤外線データの送受信が双方向で行なわれるいわゆる双方向通信が、例示されている。
【００５７】
すなわち、図１中右側の前記赤外線受信器２２が、一対の赤外線通信機器５，５のうち、右側の赤外線通信機器５から送出される赤外線信号を受信する。
【００５８】
この受信された赤外線信号は、前記シリアルコントローラ１６等を介して、図１中左側の赤外線通信機器５に対して、赤外線送出器９から送出される。
また、図１中左側の前記赤外線受信器２２が、一対の赤外線通信機器５，５のうち、左側の赤外線通信機器５から送出される赤外線信号を受信する。
【００５９】
この受信された赤外線信号は、前記シリアルコントローラ１６等を介して、図１中右側の赤外線通信機器５に対して、右側の赤外線送出器９から送出される
このため、赤外線通信機器間の赤外線通信は直接行われる事なく、観察を行うことが出来る。
【００６０】
また、前記一対の赤外線通信機器５，５間で双方向赤外線通信が行われる際に、双方の赤外線通信機器５，５に対して、赤外線信号を受信する赤外線受信器２２と、赤外線を送出する赤外線送信器２１とを各々一組づつ各赤外線受発信部９，９に設け、一方の組の赤外線受信器２２で受信した赤外線信号を、他方の組の赤外線送信部２１から、送信するようにしている。
【００６１】
このため、前記一対の赤外線通信機器５，５間で双方向赤外線通信が行われる際に、双方の赤外線通信機器５，５から送出される赤外線信号を他の組の赤外線受信器２２，２２が、各々受信して、観察できる。
【００６２】
しかも、受信された赤外線信号は、他方の赤外線通信機器５に、前記赤外線送信器２１から送出されるので、赤外線通信のやりとりを妨げない。
【００６３】
このため、例えば、赤外線通信により、シーケンス制御される赤外線通信機器５，５間の連続動作等を、双方向で送受信される赤外線を利用して、観察することが出来る。
【００６４】
また、前記シリアルコントローラ１６には、シミュレーションを行うシミュレーション機能部１７が接続されている。
【００６５】
このシミュレーション機能部１７によって、シリアルコントローラ１７から送られる翻訳データに基づいて、シミュレーションが行われる。
【００６６】
このため、赤外線通信機器５，５を有する装置が、正常に機能しているか否かの検査を行うことが出来る。
【００６７】
【実施の形態２】
図４及び図５は、この発明の実施の形態２の赤外線通信のプロトコルアナライザを示すものである。
【００６８】
なお、前記実施の形態１と同一乃至均等な部分については、同一符号を付して説明する。
【００６９】
この実施の形態２では、ＩｒＤＡ翻訳部１４，１５と有線通信を行うＲＳ２３２Ｃトランシーバ（Ｂ）を含む信号変換装置２６と、一般に、電気的信号の観察に用いられ、前記シリアルコントローラ１６とＲＳ２３２Ｃトランシーバ（Ｃ）を含むアナライザ装置２７とが、独立して設けられている。
【００７０】
これらの信号変換装置２６及びアナライザ装置２７には、図４に示す様に、ＲＳ−２３２Ｃインターフェイス２８，２９が、各々設けられている。
【００７１】
そして、これらのＲＳ−２３２Ｃインターフェイス２８，２９を介して、前記ＩｒＤＡ翻訳部１４，１５を含む信号変換装置２６と、前記シリアルコントローラ１６を含むアナライザ装置２７との間が、着脱可能な有線ケーブルとしてのＲＳ２３２Ｃケーブル３０で接続されている。
【００７２】
また、前記赤外線受信器２１及び赤外線送信器２２は、図４に示すような半透明で、ドーム状の赤外線インターフェイス３１内に収納されて、前記信号変換装置２６の上面部に突設されている。
【００７３】
次に、この実施の形態２の作用について説明する。
【００７４】
この実施の形態２では、赤外線専用のシリアルコントローラ１６でなくとも、ＲＳ２３２Ｃの電気的信号である翻訳データを視認可能な状態に変換できるシリアルコントローラ１６を含むアナライザ装置２７をＲＳ２３２Ｃケーブル３０で接続して、使用する事が出来るので、アナライザ等の共用化を図ることが出来る。
【００７５】
他の構成及び作用については、前記実施の形態１と略同様であるので、説明を省略する。
【００７６】
以上、この発明の実施の形態１又は２を図面により詳述してきたが、具体的な構成はこの実施の形態１又は２に限らず、この発明の要旨を逸脱しない範囲の設計の変更等があってもこの発明に含まれる。
【００７７】
例えば、前記実施の形態１では、シミュレーション機能部１７を設けて、双方向通信状態をシミュレーションするように構成しているが、特にこれに限らず、例えば、赤外線受発信部９を一組だけ用いて、何れか一方の赤外線通信機器５から送信される赤外線信号を受信して、シミュレーション機能部１７で、信号発信状態をシミュレーションすることにより、同一赤外線受発信部９の赤外線送信器２２から赤外線を送出し、一方の赤外線通信機器５のシミュレーションを行なわせるようにしてもよい。
【００７８】
【発明の効果】
以上説明してきたように、この発明の請求項１記載のものによれば、赤外線受信部によって、赤外線通信機器から送出される赤外線信号が受信される。信号変換部では、赤外線受信部で受信した該赤外線信号が電気的信号に変換される。
【００７９】
該信号変換部で変換された電気的信号は、ＩｒＤＡ翻訳部で、翻訳データに翻訳され、翻訳データ変換部で、視認可能な状態に変換される。
【００８０】
このため、赤外線通信機器の送出する赤外線信号を、視認可能な翻訳データの形式で、観察する事が出来る。
【００８１】
また、請求項２に記載されたものでは、前記赤外線受信部には、可視光を除去する可視光フィルタが設けられているので、赤外線受信部が可視光の影響を受けにくい。このため、安定した翻訳データを得ることが出来、観察精度が向上する。
【００８２】
そして、請求項３に記載されたものでは、前記ＩｒＤＡ翻訳部と、前記翻訳データ変換部との間が、着脱可能な有線ケーブルで接続されている。
【００８３】
このため、赤外線専用の翻訳データ変換部でなくとも、ＲＳ２３２Ｃの電気的信号である翻訳データを視認可能な状態に変換できる翻訳データ変換部を、有線ケーブルで接続して、使用する事が出来るので、アナライザ等の共用化を図ることが出来る。
【００８４】
また、請求項４に記載されたものでは、シミュレーション機能部によって、翻訳データ変換部から送られる翻訳データに基づいて、シミュレーションが行われる。
【００８５】
このため、赤外線通信機器を有する装置が、正常に機能しているか否かの検査を行うことが出来る。
【００８６】
そして、請求項５に記載されたものでは、前記赤外線受信部が、一対の赤外線通信機器のうち、何れか一方から送出される赤外線信号を受信する。
【００８７】
該受信された赤外線信号は、他方の赤外線通信機器に対して、赤外線送出部から送出される。
【００８８】
このため、赤外線信号を遮って、赤外線通信機器間の赤外線通信を妨げる事なく、観察を行うことが出来る。
【００８９】
また、請求項６に記載されたものでは、前記一対の赤外線通信機器間で双方向赤外線通信が行われる際に、双方の赤外線通信機器から送出される赤外線信号を他の組の赤外線受信部が、各々受信して、観察できる。
【００９０】
しかも、受信された赤外線信号は、他方の赤外線通信機器に、前記赤外線送信部から送出されるので、赤外線通信のやりとりを妨げない。
【００９１】
このため、例えば、赤外線通信により、シーケンス制御される赤外線通信機器間の連続動作等を、双方向で送受信される赤外線を利用して、観察することが出来る。
【００９２】
従って、赤外線信号上で、直接、赤外線信号を取り込んで、データを視認できるので、正常な赤外線通信が行われているか否かを確認することが出来る、という実用上有益な効果を発揮する。
【図面の簡単な説明】
【図１】本発明の実施の形態１の赤外線通信のプロトコルアナライザで、使用状況を説明する模式図である。
【図２】実施の形態１の赤外線通信のプロトコルアナライザで、赤外線受送信部の断面図である。
【図３】実施の形態１の赤外線通信のプロトコルアナライザで、基本構成のブロック図である。
【図４】実施の形態２の赤外線通信のプロトコルアナライザで、構成を説明する模式図である。
【図５】実施の形態２の赤外線通信のプロトコルアナライザで、基本構成のブロック図である。
【図６】従来例のシリアル伝送モニタ装置で、基本構成のブロック図である。
【符号の説明】
５      赤外線通信機器
６      プロトコルアナライザ
９      赤外線受発信部
２１  赤外線送信器
２２  赤外線受信器
１２    パルスデコーダ（信号変換部）
１３    パルスエンコーダ（信号変換部）
１４，１５
ＩｒＤＡ翻訳部
１６    シリアルコントローラ（翻訳データ変換部）
１７    シミュレーション機能部
２６    信号変換装置
２７    アナライザ装置
３０    ＲＳ２３２Ｃケーブル（有線ケーブル）
Ａ      制御部
Ｂ，Ｃ  ＲＳ２３２Ｃトランシーバ
【図１】
0003598176.tif 000002
【図２】
0003598176.tif 000003
【図３】
0003598176.tif 000004
【図４】
0003598176.tif 000005
【図５】
0003598176.tif 000006
【図６】
0003598176.tif 000007